(57)【要約】  ディスク搭載装置（１０）は、ディスク搭載装置（１０）を形成するアウターケース（１１）の内部に、２台のＨＤＤ（３０）、（４０）を保持するとともに、斜行溝（２５）と平行溝（２６）とがそれぞれ形成された案内溝（２３）、（２４）を設けたインナーケース（２０）を配設するとともに、インナーケース（２０）の引き出し時に、手前側のＨＤＤ（３０）を奥側のＨＤＤ（４０）の引き出しを妨げない位置まで鉛直方向に上昇させる。
2010087023.tif 000002
【特許請求の範囲】
【請求項１】
第一の規格に応じた大きさのディスク装置を一つだけ収納可能な大きさで形成された第一の筐体と、
前記第一の筐体に対して長手方向に沿って引き出し可能に内蔵され、当該引き出される面からみて前記長手方向の手前側と奥側とに第二の規格に応じた大きさのディスク装置をそれぞれ保持する第二の筐体と、
前記第一の筐体から前記第二の筐体が引き出されることによって前記長手方向に沿って移動する前記奥側に保持したディスク装置の移動を妨げないように、前記手前側に保持したディスク装置を前記長手方向からみて鉛直方向に移動させる形状で前記第二の筐体に形成された案内溝と、
を備えることを特徴とするディスク搭載装置。
【請求項２】
前記第二の筐体に形成された案内溝は、前記手前側に保持したディスク装置を前記長手方向からみて鉛直方向に移動させる斜行溝と、当該斜行溝により鉛直方向に上昇した前記ディスク装置を平行に保持する平行溝として形成されていることを特徴とする請求項１に記載のディスク搭載装置。
【請求項３】
前記第二の筐体には、当該第二の筐体を前記長手方向に引き出すとともに、当該第二の筐体を前記第一の筐体の所定の位置に固定する第一のイジェクタが設けられ、前記長手方向の手前側と奥側とに保持されたディスク装置を引き出すとともに、前記第二の筐体の所定の位置に固定する第二のイジェクタが設けられることを特徴とする請求項１に記載のディスク搭載装置。
【請求項４】
前記第一の筐体には、前記第二の筐体の引き出し時に前記長手方向に沿って移動する前記奥側に保持したディスク装置の前方への移動を妨げない位置まで、前記長手方向の手前側に保持したディスク装置を前記鉛直方向に向けて退避させる開口部が形成されていることを特徴とする請求項１に記載のディスク搭載装置。
【請求項５】
前記第一の筐体には、前記第二の筐体の引き出し時に前記長手方向に沿って移動する前記奥側に保持したディスク装置の前方への移動を妨げない位置まで、前記長手方向の手前側に保持したディスク装置を前記鉛直方向に向けて退避させる開口部が形成され、前記第一の筐体の底部には、当該第一の筐体とは別の第一の筐体の上部に形成された前記開口部から退避されたディスク装置を退避させる退避口が形成されることを特徴とする請求項１に記載のディスク搭載装置。
【発明の詳細な説明】
【技術分野】
【０００１】
本発明は、ディスク搭載装置に関する。
【背景技術】
【０００２】
従来から、磁気ディスク装置は、大容量および高速データ転送が可能な外部記憶装置として広く使用されている。特に、近年では、高信頼性および低価格を実現する外部記憶装置として複数のディスク搭載装置を備えたディスクアレイ装置が使用されている（特許文献１〜２）。【０００３】
ディスク搭載装置は、装置内部に小型の磁気ディスク装置（以下、「ＨＤＤ」と略称する）を複数台収納するとともに、各ＨＤＤにデータを分配して記憶する装置である。このディスク搭載装置には、低コスト／大容量向けの３．５インチ型（第一の規格）のＨＤＤと、小型／高速向けの２．５インチ型（第二の規格）のＨＤＤとの２種類のＨＤＤが使用されている。【０００４】
【特許文献１】特開２００６−２３５９６４号公報
【特許文献２】特開２００３−３６６６９号公報
【発明の開示】
【発明が解決しようとする課題】
【０００５】
ところが、上述した従来のディスク搭載装置の場合、装置の横幅等は規格（第一の規格／第二の規格）で決められているため、使用者の目的に合わせて２タイプ（３．５インチ型と２．５インチ型）のＨＤＤを自由に選択して使用することができないという問題がある。【０００６】
具体的に説明すると、現在のディスク搭載装置では、ＨＤＤのサイズ(幅寸法)に合わせたエンクロージャ（筐体）がそれぞれ用意されている。このため、３．５インチ型と２．５インチ型との２タイプのＨＤＤを混在させた状態でディスク搭載装置に搭載することはできない。【０００７】
ここで、３．５インチ型のディスク搭載装置のスロット部に２．５インチ型のＨＤＤを搭載することはできるが、この場合、２．５インチ型の小型優位性が損なわれてしまうという問題がある。【０００８】
また、ディスク搭載装置の３．５インチ型として形成されたスロット部の奥行き方向に２．５インチ型のＨＤＤを２台搭載した場合、奥側に搭載したＨＤＤは、其の都度、前側に搭載したＨＤＤを引き出した後に取り出す必要があるという問題がある。【０００９】
以下、従来のディスク搭載装置の問題点について、図１４および図１５を用いて説明する。図１４は、従来のディスク搭載装置による動作を説明する説明図である。また、図１５は、ディスク搭載装置の変形例を説明する説明図である。【００１０】
すなわち、図１４に示すように、ディスク搭載装置１０′の内部の前側と奥側のスロット部にそれぞれ２．５インチ型のＨＤＤ３０、４０を収納した場合、奥側のＨＤＤ４０を引き出す時には、前側のＨＤＤ３０が妨げとなる。このため、結局、ＨＤＤ３０を一旦、手前側に引き出した後でないと、この奥側のＨＤＤ４０を引き出すことができないという問題がある。【００１１】
ここで、奥側のＨＤＤ４０を引き出す時に、前側のＨＤＤ３０が妨げとならないように、ディスク搭載装置１０′の高さ寸法を高くした場合には、奥側のＨＤＤ４０を引き出すことはできる。ところが、この場合、奥側のＨＤＤ４０を通過させるためのスペースを確保する必要があるため、ディスク搭載装置１０の高さや大きさが大きくなってしまうという問題がある（高さＨ＜高さＨ′）。【００１２】
そこで、この発明は、上述した従来技術の課題を解決するためになされたものであり、第一の規格（３．５インチ）の大きさに形成されたディスク搭載装置の内部に２台の第二の規格の２．５インチ型のＨＤＤをそれぞれ活性交換可能に搭載することができるディスク搭載装置を提供することを目的とする。
【課題を解決するための手段】
【００１３】
上述した課題を解決し、目的を達成するため、開示のディスク搭載装置は、第一の規格に応じた大きさのディスク装置を一つだけ収納可能な大きさで形成された第一の筐体と、前記第一の筐体に対して長手方向に沿って引き出し可能に内蔵され、当該引き出される面からみて前記長手方向の手前側と奥側とに第二の規格に応じた大きさのディスク装置をそれぞれ保持する第二の筐体と、前記第一の筐体から前記第二の筐体が引き出されることによって前記長手方向に沿って移動する前記奥側に保持したディスク装置の移動を妨げないように、前記手前側に保持したディスク装置を前記長手方向からみて鉛直方向に移動させる形状で前記第二の筐体に形成された案内溝と、を備えることを特徴とする。
【発明の効果】
【００１４】
開示のディスク搭載装置によれば、ディスク搭載装置の内部に２台のＨＤＤを搭載可能であるとともに、使用者の目的に合わせ２タイプのハードディスクを自由に選択することができる。また、開示のディスク搭載装置によれば、これら搭載した２台の２．５インチのＨＤＤをそれぞれ活性交換可能とすることができる。
【図面の簡単な説明】
【００１５】
【図１】図１は、実施例１に係るディスクアレイ装置の前側外観を示す斜視図である。
【図２】図２は、図１のディスクアレイ装置の奥側外観を示す斜視図である。
【図３】図３は、図１のディスクアレイ装置を示すＡ−Ａ断面図である。
【図４】図４は、図２のディスクアレイ装置内部に搭載したディスク搭載装置の動作を示す図である。
【図５】図５は、ディスク搭載装置の前側外観を示す斜視図である。
【図６】図６は、ディスク搭載装置の奥側外観を示す斜視図である。
【図７】図７は、インナーケースの側面を示す図である。
【図８】図８は、ＨＤＤの側面を示す図である。
【図９−１】図９−１は、通常状態のディスク搭載装置の内部を示す説明図である。
【図９−２】図９−２は、インナーケースの動作時のディスク搭載装置の内部を示す説明図である。
【図１０】図１０は、ディスク搭載装置の動作概要を示す説明図である。
【図１１】図１１は、インナーケースの収納時のディスク搭載装置を示す斜視図である。
【図１２】図１２は、インナーケースの引き出し時のディスク搭載装置の内部を示す断面図である。
【図１３】図１３は、インナーケースの引き出し状態を示すディスク搭載装置の斜視図である。
【図１４】図１４は、従来のディスク搭載装置による動作を説明する説明図である。
【図１５】図１５は、ディスク搭載装置の変形例を説明する説明図である。
【符号の説明】
【００１６】
１  ディスクアレイ装置
２  エンクロージャ
３  制御ボード
４  電源ユニット
５  バックパネル
１０、１０´  ディスク搭載装置
１１  アウターケース
１４  上面板
１５  開口部
２０  インナーケース
２１  本体板部
２２  側面板
２３、２４  案内溝
２５  斜行溝
２６  平行溝
３０、４０  ＨＤＤ
３１、４１  ベース板
３４、３５、３７、４７、５１  軸部
３６、４６、５０  イジェクタ
【発明を実施するための最良の形態】
【００１７】
以下に添付図面を参照して、この発明に係るディスク搭載装置の好適な実施例１を詳細に説明する。なお、この実施例１により本発明のディスク搭載装置が限定されるものではない。
【実施例１】
【００１８】
図１は、実施例１に係るディスクアレイ装置の前側外観を示す斜視図である。また、図２は、図１のディスクアレイ装置の奥側外観を示す斜視図である。また、図３は、図１のディスクアレイ装置の内部を示すＡ−Ａ断面図である。また、図４は、図３のディスクアレイ装置の内部に搭載したディスク搭載装置の動作を示す図である。【００１９】
［ディスクアレイ装置の構成］
図１〜図４に示すように、ディスクアレイ装置１は、全体が四角型に形成されるとともに、エンクロージャ２の内部に複数（図１では、４列３段の１２個）のディスク搭載装置１０と、これら複数のディスク搭載装置１０を制御する制御ボード３とを備えている。そして、このディスク搭載装置１０は、これら内部に搭載したディスク搭載装置１０に電力を供給する電源ユニット４とを、バックパネル５を介して電気的に接続したシステムとしている。【００２０】
ディスクアレイ装置１は、内部に搭載したディスク搭載装置１０に対して並列的にアクセスしてデータ入出力を行う装置である。また、このディスク搭載装置１０には、内部に複数（２個）のＨＤＤ３０、４０（図３）が収納されている。また、ディスク搭載装置１０の下方に設けたバックパネル５の所定位置（下端部）には、制御ボード３と電源ユニット４に対する電気接続用の接続コネクタが固設されている。【００２１】
また、図４に示すように、ディスク搭載装置１０は、このディスク搭載装置１０に設けたインナーケース２０の前側方向（矢印方向）への引き出し時に、スロット部１２の手前側に搭載したＨＤＤ３０をインナーケース２０の案内溝２３、２４に沿って、上昇させることができる。【００２２】
そして、このように、ＨＤＤ３０をインナーケース２０の案内溝２３、２４に沿って、上昇させることで、スロット部１３の奥側に搭載されているＨＤＤ４０を、ＨＤＤ３０に妨げられることなく引き出せるようにしている。【００２３】
概略的に説明すると、本実施例１のディスク搭載装置１０では、３．５ＨＤＤ用のディスク搭載装置１０の内部の前側と奥側に２．５ＨＤＤを各々保持するインナーケース２０を配設することとしている。そして、このインナーケース２０の引き出し時に前側のＨＤＤ３０を案内溝２３、２４に沿って移動させることができるので、奥側のＨＤＤ４０のみを抜き出すことができる構造としている。【００２４】
［ディスク搭載装置］
次に、ディスクアレイ装置に搭載されたディスク搭載装置の詳細について説明する。ここで、図５は、ディスク搭載装置の前側外観を示す斜視図である。また、図６は、ディスク搭載装置の奥側外観を示す斜視図である。また、図７は、インナーケースの側面を示す図である。また、図８は、ＨＤＤの側面を示す図である。【００２５】
図５〜図８に示すように、ディスク搭載装置１０は、長尺状で四角型のアウターケース１１と、アウターケース１１の内部に配設されるインナーケース２０とを備えている。後述するように、インナーケース２０は、レール型に形成されており、ディスク搭載装置１０を形成するアウターケース１１の内部に対して着脱自在に設けられている。なお、このディスク搭載装置１０のアウターケース１１は、ディスクアレイ装置１のエンクロージャ２（図１）に対して、取り付けネジなどを使用して固定されている。【００２６】
アウターケース１１は、３．５インチ型のＨＤＤを収納可能な大きさを備えるとともに、このアウターケース１１の内部には、上側に位置するスロット部１２と、下側に位置するスロット部１３とが形成されている。また、このアウターケース１１の上面板１４には所定の幅寸法（２．５インチよりも僅かに大きい寸法）を有する開口部１５が形成されている。後述するように、この開口部１５は、ＨＤＤ３０の上昇時にＨＤＤ３０を上方に突出させるきり切り欠き部として形成されている。【００２７】
また、このディスク搭載装置１０を構成するアウターケース１１の内部には、２．５インチ型のＨＤＤ３０とＨＤＤ４０との２個のＨＤＤ３０、４０がそれぞれ前側と奥側とに保持されるように配置されている。すなわち、これらＨＤＤ３０、４０は、アウターケース１１のスロット部１２、１３にそれぞれ搭載されている。【００２８】
ＨＤＤ３０は、ベース板３１に固設されるとともに、このＨＤＤ３０の側面部３２の所定位置（図８の上下位置）には一対の軸部３４、３５がそれぞれ固設されている。後述するように、ＨＤＤ３０の一対の軸部３４、３５は、インナーケース２０の側面板２２に形成された案内溝２３、２４にそれぞれ嵌合されている。【００２９】
また、このＨＤＤ３０が固設されたベース板３１の前端部（図５の左側、図６の右側）には、このＨＤＤ３０を手で引き出したり、所定の位置（アウターケース１１の内側）に固定するイジェクタ３６が設けられている。【００３０】
すなわち、イジェクタ３６は、ディスク搭載装置１０内部からＨＤＤ３０の着脱を行なう取っ手として使用される。また、このイジェクタ３６は、軸部３７を中心に回動させることで、このイジェクタ３６によるロックを解除させることができる。具体的には、このイジェクタ３６によりディスク搭載装置１０のアウターケース１１に対するＨＤＤ３０の固定を解除することができる。【００３１】
ＨＤＤ４０は、ベース板４１に固設されるとともに、このＨＤＤ４０が固設されたベース板４１には、このＨＤＤ４０を所定の位置に固定するイジェクタ４６が設けられている。イジェクタ４６は、ＨＤＤ３０のベース板３１に設けられたイジェクタ３６と同様に、軸部４７を中心に回動させることで、このイジェクタ４６によるロックを解除させることができる。具体的には、インナーケース２０の側面板２２（図７）に対するＨＤＤ３４の固定を解除させることができる。【００３２】
［インナーケース２０の構成］
インナーケース２０は、レール型に形成された長尺状の板金部材であり、所定寸法（３．５インチ）の幅寸法を有する本体板部２１と、この本体板部２１の両側に固設された一対の側面板２２とを備えている。このうち、側面板２２には凹部溝として設けられた上下２個の案内溝２３、２４が形成されている。【００３３】
案内溝２３、２４（図７）には、斜行溝２５と平行溝２６とがそれぞれ形成されている。そして、これら案内溝２３、２４の斜行溝２５と平行溝２６に対して、ＨＤＤ３０の側面部３２に固設された軸部３４、３５が嵌合自在となっている。後述するように、インナーケース２０を手前側に引き出すことにより、前側に設けたＨＤＤ３０を案内溝２３、２４によって所定の位置まで上昇させることができる。【００３４】
また、インナーケース２０の本体板部２１の前側には、このインナーケース２０の着脱および軸部５１を中心とする回動によりロックを行なうためのイジェクタ５０がヒンジ部５２（図１２）を介して固設されている。【００３５】
このインナーケース２０の前端部（図５の左側）に設けられたイジェクタ５０は、このイジェクタ５０の基端部に設けられたヒンジ部５２により下側にほぼ９０°屈曲するように設けられている。【００３６】
次に、本実施例１で示すディスク搭載装置の概要について説明する。図９−１は、通常状態のディスク搭載装置の内部を示す説明図である。また、図９−２は、インナーケースの動作時のディスク搭載装置の内部を示す説明図である。また、図１０は、ディスク搭載装置の動作状態を説明する図である。【００３７】
同図に示すように、ディスク搭載装置１０は、３．５インチ用の大きさとして形成されたスロット部１２、１３の奥行き方向に２．５インチ型のＨＤＤ３０とＨＤＤ４０とを前側および奥側にそれぞれ２台搭載している。そして、奥側の２．５インチ型のＨＤＤ４０を引き出す場合には、前側の２．５インチのＨＤＤ３０が上方（図９−１の上側）に移動する構造となっている。【００３８】
すなわち、図９−１に示すように、ディスク搭載装置１０は、このディスク搭載装置１０を形成するアウターケース１１の内部に、２台のＨＤＤ３０、４０を保持するとともに、前側と奥側（図９−１の左右方向）に摺動するインナーケース２０を配設している。【００３９】
そして、ディスク搭載装置１０の内部に搭載された奥側のＨＤＤ４０を引き出す場合には、インナーケース２０を前側（図９−２のａ方向）に引き出すことで、インナーケース２０の引き出し時に、手前側のスロット部１２に搭載したＨＤＤ３０をインナーケース２０の案内溝２３、２４に沿って、上側（図９−２のｂ方向）に上昇させる。また、奥側のスロット部１３に搭載されているＨＤＤ４０を手前側（図９−２のｃ方向）にＨＤＤ３０に妨げられることなく引き出せる構造としている。【００４０】
具体的に説明すると、図９−１に示すように、ディスク搭載装置１０の内部にインナーケース２０が収納されている場合には（インナーケース２０が引き出されていない時）、ディスク搭載装置１０の前側に搭載されたＨＤＤ３０の軸部３４、３５は、インナーケース２０の側面板２２に形成された案内溝２３、２４の斜行溝２５の下端部にそれぞれ嵌合している。このため、ＨＤＤ３０は停止状態であり、この時、ＨＤＤ３０の高さ位置は、図１０のＨ１の高さ位置となっている。【００４１】
一方、図９−２に示すように、インナーケース２０が引き出された場合には、ＨＤＤ３０の軸部３４、３５は、インナーケース２０の側面板２２に形成された案内溝２３、２４の斜行溝２５に沿って徐々に上昇し平行溝２６の位置まで移動する。このため、この時、ＨＤＤ３０の高さ位置は、図１０のＨ２の高さ位置となる。【００４２】
すなわち、ＨＤＤ３０は上面板１４の開口部１５を通過して上昇することにより、このＨＤＤ３０よりも奥側に搭載されたＨＤＤ４０の通過を妨げない位置に自動的に移動することとなる。【００４３】
なお、本実施例１では、上面板１４にＨＤＤ３０を退避させる開口部１５を形成しているが、このような開口部は、アウターケース１１の下面板に形成するようにした場合、ディスク搭載装置１０を複数段収納した時には、下段に配置されたディスク搭載装置から退避したＨＤＤを、アウターケース内に退避させることができるため空きスペースを有効に利用することができる。【００４４】
［インナーケースによるＨＤＤの引き出し操作］
次に、ディスク搭載装置１０に搭載されたＨＤＤ３０、４０の引き出し操作の手順について詳細に説明する。ここで、図１１は、インナーケースを収納時を示すディスク搭載装置の斜視図である。【００４５】
また、図１２は、インナーケースの引き出し状態を示すディスク搭載装置の斜視図である。また、図１３は、奥側のＨＤＤの引き出し状態を示すディスク搭載装置の斜視図である。【００４６】
すなわち、図１１に示すように、ディスク搭載装置１０から奥側のＨＤＤ４０を引き出す場合には、インナーケース２０の前端部に設けたイジェクタ５０の先端部を軸部５１を中心に回動させ、このイジェクタ５０によるロックを解除する。具体的には、イジェクタ５０によりアウターケース１１の側面に固定されていたインナーケース２０の固定を解除する。【００４７】
次に、図１２に示すように、インナーケース２０に設けられたイジェクタ５０を指などで持ち、このインナーケース２０を手前側（図１２の左側）に引き出す。前述したように、インナーケース２０を手前側に引き出すことにより、ＨＤＤ３０は、インナーケース２０の側面部に形成された案内溝２３、２４の斜行溝２５に沿って上昇する。この上昇により、ＨＤＤ３０は、上面板１４の開口部１５から突出し、このＨＤＤ３０は案内溝２３、２４の平行溝２６の位置となる。【００４８】
ここで、インナーケース２０の引き出し時には、奥側のＨＤＤ４０は、インナーケース２０に固定されているため、このＨＤＤ４０も前側のＨＤＤ３０の位置（図１２では、真下）まで引き出すことができる。【００４９】
次に、図１３に示すように、ディスク搭載装置１０の手前側に引き出したインナーケース２０の前端部に設けられたイジェクタ５０をヒンジ部５２を中心にほぼ９０°下側に屈曲させる。このように、インナーケー２０の前端部に設けたイジェクタ５０を下側に屈曲させることで、奥側に搭載したＨＤＤ４０をインナーケース２０の手前側まで引き出すことができる。【００５０】
すなわち、インナーケース２０を手前側に引き出すことにより、奥側のＨＤＤ４０のベース板４１の前端部に設けたイジェクタ４６の操作（ロックの解除）が可能となる。以下、イジェクタ４６によるロックを解除し、ＨＤＤ４０を完全にインナーケース２０の手前まで引き出す。【００５１】
この場合、同図に示すように、ＨＤＤ３０は、案内溝２３、２４の斜行溝２５に沿って上昇し、上面板１４の開口部１５から突出した位置となっているため、このＨＤＤ３０に妨げられることなく、ＨＤＤ４０の引き出しを容易に行なうことができる。【００５２】
以上説明したように、本実施例１のディスク搭載装置１０では、手前側に搭載したＨＤＤ３０を所定の位置まで上昇させる案内溝２３、２４が形成されたインナーケース２０を備えているので、インナーケース２０を手前側に引き出す操作を行なうことにより、スロット部１２の前側に搭載されているＨＤＤ３０を上側に退避させ、スロット部１３の奥側に搭載されているＨＤＤ４０をＨＤＤ３０により妨げることなく引き出すことができるので、使用者の目的に合わせて適時選択して、３．５インチ型の大きさに形成されたスロットスペースに小型／高速特性を備えた２台の２．５インチ型のＨＤＤ３０、４０を活性交換可能に搭載することができる。
【実施例２】
【００５３】
さて、これまで本発明の実施例１のディスク搭載装置について説明したが、本発明のディスク搭載装置は上述した実施例１以外にも、上記特許請求の範囲に記載した技術的思想の範囲内において、種々の異なる実施例にて実施することもできる。【００５４】
すなわち、上述した、実施例１では、ディスク搭載装置１０（図８）に設けたインナーケース２０の引き出し時に、スロット部１２の手前側に搭載したＨＤＤ３０をインナーケース２０の案内溝２３、２４の斜行溝２５に沿って上昇させ、平行溝２６の位置としている。【００５５】
そして、このディスク搭載装置１０のスロット部１３の奥側に搭載されているＨＤＤ４０を、前側のＨＤＤ３０に妨げられることなく引き出せる構造としているが、本実施例２では、実施例１のように、手前側に搭載したＨＤＤ３０を上昇させるのではなく、インナーケース２０の案内溝２３、２４に沿って下降させる構造としてもよい。【００５６】
この実施例２の場合でも、前述した実施例１と同様に、手前のＨＤＤ３０は、インナーケース２０の引き出しにともなって、奥側のＨＤＤ４０の引き出しを妨げない位置まで移動させることができるため、奥側に配置されたＨＤＤ４０を、前側に搭載したＨＤＤ３０に妨げられることなく引き出すことができる。
【図１】
2010087023.tif 000003
【図２】
2010087023.tif 000004
【図３】
2010087023.tif 000005
【図４】
2010087023.tif 000006
【図５】
2010087023.tif 000007
【図６】
2010087023.tif 000008
【図７】
2010087023.tif 000009
【図８】
2010087023.tif 000010
【図９−１】
2010087023.tif 000011
【図９−２】
2010087023.tif 000012
【図１０】
2010087023.tif 000013
【図１１】
2010087023.tif 000014
【図１２】
2010087023.tif 000015
【図１３】
2010087023.tif 000016
【図１４】
2010087023.tif 000017
【図１５】
2010087023.tif 000018
【国際調査報告】
2010087023.tif 000019
2010087023.tif 000020